(57)【要約】【課題】従来の遮熱シートの軽量で取り扱いが容易であることに加えて、シートの形態の維持が向上し、外観が目的の機能に沿い、環境にも調和する遮熱シートを提供せんとする。【解決手段】表と成る面に光線反射機能を有する扁平リボン２と、表と成る面が緑色の扁平リボン３を使用して簾状にシート本体４を形成する。シート本体４の裏面の側周縁に補整用帯状シート５を被着し、更にその上に補強用縁部テープ６を重ねて被着する。補整用帯状シート５は補強用縁部テープ６より幅広であることを特徴とする。【選択図】  図４
0003175508.tif 000002
【実用新案登録請求の範囲】
【請求項１】
表と成る面に光線反射機能を有する扁平リボンと、表と成る面が緑色の扁平リボンを使用して簾状にシート本体を形成し、シート本体の裏面の側周縁に補整用帯状シートを被着し、更にその上に補強用縁部テープを重ねて被着し、補整用帯状シートが補強用縁部テープより幅広であることを特徴とする遮熱シート。
【請求項２】
シート本体は、光線反射機能を有する扁平リボンと緑色の扁平リボンを並列に配置し、この両扁平リボンと直交する方向に編成した糸とで形成したことを特徴とする請求項１記載の遮熱シート。
【請求項３】
角部及び周縁に適宜間隔で鳩目を形成したことを特徴とする請求項１又は２記載の遮熱シート。
【請求項４】
光線反射機能を有する扁平リボンを、緑色の扁平リボンよりも多数使用してシート本体を形成したことを特徴とする請求項１乃至３記載のいずれかである遮熱シート。
【請求項５】
光線反射機能を有する扁平リボンと緑色の扁平リボンを交互に配置してシート本体を形成したことを特徴とする請求項１乃至３記載のいずれかである遮熱シート。
【請求項６】
光線反射機能を有する扁平リボンが、表面にアルミ層を蒸着コーティングした合成樹脂材、又はアルミニウム粉末を練り込み均一に分散させた合成樹脂材から成るものであることを特徴とする請求項１乃至５記載のいずれかである遮熱シート。
【請求項７】
緑色の扁平リボンが合成樹脂材料から成るものであることを特徴とする請求項１乃至６記載のいずれかである遮熱シート。
【考案の詳細な説明】
【技術分野】
【０００１】
本考案は太陽の日差しに晒される建造物、屋外休憩場、空調機の室外機等に被設して温度上昇を抑制し、省エネルギー化を図る目的や、屋外で日除け用テント等のシートとして使用し、太陽光線から人体を保護したり、或いは自動車に関係する状態で張設して日除けとし、車内の温度の上昇を抑えたりするために使用する等、各種の日除け目的のために用いる遮熱シートに関するものである。
【背景技術】
【０００２】
上記のような目的のためのものとして、古くからあるものとして「よしず」が一般に利用されている。
しかし、「よしず」は、長期間の使用により腐食する等の問題があり、設置面積が広い場合や、夏期以外の時期に撤去するのに手数を要するという問題もあった。
【０００３】
そこで、特開２００６−１１８０５７号公報では、アルミニウム粉末を練り込み均一に分散させた合成樹脂材料から形成したアルミニウム粉末含有リボン糸と、炭素粉末を練り込み均一に分散させた合成樹脂材料から形成した炭素粉末含有リボン糸とを重ね合わせた複合リボン糸を、アルミニウム粉末含有リボン糸の面と炭素粉末含有リボン糸の面がそれぞれ同じ方向を向くように並列し、該複合リボン糸と直交する糸により編成した遮熱シートが開示されている。
【０００４】
また、実用新案登録第３１０７４２２号公報には、シート本体の一方の面の周囲の側縁に固着した補強用縁部材と、各側縁の補強用縁部材の端部付近に設けた鳩目と連結部材から成り、シート本体は方形状で、太陽光線反射加工を施された繊維素材で簾状に形成し、軽くて通気性及び遮熱性を有し、シート本体の表面にアルミ箔を蒸着コーティングした遮熱用シートが開示されている。
【先行技術文献】
【特許文献】
【０００５】
【特許文献１】特開２００６−１１８０５７号公報
【特許文献２】実用新案登録第３１０７４２２号公報
【考案の概要】
【考案が解決しようとする課題】
【０００６】
本考案は、従来の遮熱シートの軽量で取り扱いが容易であることに加えて、シートの形態の維持が向上し、外観が目的の機能に沿い、環境にも調和する遮熱シートを提供せんとするものである。
【課題を解決するための手段】
【０００７】
本考案の請求項１の遮熱シートは、表と成る面に光線反射機能を有する扁平リボンと、表と成る面が緑色の扁平リボンを使用して簾状にシート本体を形成し、シート本体の裏面の側周縁に補整用帯状シートを被着し、更にその上に補強用縁部テープを重ねて被着し、補整用帯状シートが補強用縁部テープより幅広であることを特徴とするものである。
【０００８】
請求項２の遮熱シートの考案は、請求項１の考案において、シート本体は、光線反射機能を有する扁平リボンと緑色の扁平リボンを並列に配置し、この両扁平リボンと直交する方向に編成した糸とで形成したことを特徴とするものである。
【０００９】
請求項３の遮熱シートの考案は、請求項１又は２の考案において、角部及び周縁に適宜間隔で鳩目を形成したことを特徴とするものである。
【００１０】
請求項４の遮熱シートの考案は、請求項１乃至３記載のいずれかの考案において、光線反射機能を有する扁平リボンを、緑色の扁平リボンよりも多数使用してシート本体を形成したことを特徴とするものである。
【００１１】
請求項５の遮熱シートの考案は、請求項１乃至３記載のいずれかの考案において、光線反射機能を有する扁平リボンと緑色の扁平リボンを交互に配置してシート本体を形成したことを特徴とするものである。
【００１２】
請求項６の遮熱シートの考案は、請求項１乃至５記載のいずれかの考案において、光線反射機能を有する扁平リボンが、表面にアルミ層を蒸着コーティングした合成樹脂材、又はアルミニウム粉末を練り込み均一に分散させた合成樹脂材から成るものであることを特徴とするものである。
【００１３】
請求項７の遮熱シートの考案は、請求項１乃至６記載のいずれかの考案において、緑色の扁平リボンが合成樹脂材料から成るものであることを特徴とするものである。
【考案の効果】
【００１４】
請求項１の考案では、表と成る面に光線反射機能を有する扁平リボンと、表と成る面が緑色の扁平リボンを使用して簾状にシート本体を形成したため、光線反射機能を有する扁平リボンで太陽の光を反射した覆った空間の遮熱効果を得られるものである。
また、緑色の扁平リボンによりシートの表面に緑色が配色されて、涼しげで環境にも調和した外観となる効果も発揮するものである。
【００１５】
そして、シート本体の裏面の側周縁に補整用帯状シートを被着し、更にその上に補強用縁部テープを重ねて被着し、補整用帯状シートが補強用縁部テープより幅広であるため、幅広の補整用帯状シートにより簾状のシート本体の平面水平及び上下方向の捻れを防止し補整効果を得られると共に、補強用縁部テープにより周端部を一層強化する効果を発揮するものである。
【００１６】
請求項２の考案は、請求項１の効果に加えて、シート本体を、光線反射機能を有する扁平リボンと緑色の扁平リボンを並列に配置し、この両扁平リボンと直交する方向に糸で編成することで容易に形成できる効果を有するものである。
【００１７】
請求項３の考案は、請求項１又は２の効果に加えて、角部及び周縁に適宜間隔で鳩目を形成したため、シート同士の連結や目的空間へ設置する場合に、鳩目を利用して容易に行なえる効果を有するものである。
【００１８】
請求項４の考案は、請求項１乃至３のいずれかの効果に加えて、光線反射機能を有する扁平リボンを、緑色の扁平リボンよりも多数使用してシート本体を形成したため、シートの目的である遮熱機能を確保して環境にも適応するシート本体とできる効果を発揮するものである。
【００１９】
請求項５の考案は、請求項１乃至３のいずれかの効果に加えて、光線反射機能を有する扁平リボンと緑色の扁平リボンを交互に配置してシート本体を形成したため、緑色の影響がシート全面に均質に現れ、且つ遮熱効果も確保され部分によるバラツキも防止できる効果を有する。
【００２０】
請求項６の考案は、請求項１乃至５のいずれかの効果に加えて、光線反射機能を有する扁平リボンの形成を容易にできる効果を有するものである。
また、請求項７の考案は、請求項１乃至６のいずれかの効果に加えて、軽量なリボンを容易に得られる効果を有するものである。
【図面の簡単な説明】
【００２１】
【図１】本考案の一実施の形態を示す表面図である。
【図２】図１の裏面図である。
【図３】表面の要部拡大図。
【図４】裏面の要部拡大図。
【考案を実施するための形態】
【００２２】
本考案の実施の形態例を図面に基づいて説明する。
図１は本考案の一実施の形態を示す表面図であり、図２は同裏面図である。
【００２３】
遮熱シート１は、矩形で、表と成る面に光線反射機能を有する扁平リボン２と、表と成る面が緑色の扁平リボン３を使用して簾状にシート本体４を形成し、シート本体４の裏面の側周縁に補整用帯状シート５を被着し、更にその上に補強用縁部テープ６を重ねて被着し、補整用帯状シート５が補強用縁部テープ６より幅広となっている。
【００２４】
簾状にシート本体４を形成するには、例えば光線反射機能を有する扁平リボン２と緑色の扁平リボン３を並列に配置し、この両扁平リボン２、３と直交する方向に結束した糸７で編成することで形成できる。
光線反射機能を有する扁平リボン２と緑色の扁平リボン３は、図１、２では交互に並列に配置されているけれど、これに限定されるものではない。
【００２５】
光線反射機能を有する扁平リボン２と緑色の扁平リボン３を並列に配置は、各二種の扁平リボン２、３を複数枚ずつ連続して並べた組を交互に配置しても良く、或いは各二種の扁平リボン２、３を異なった枚数の組としたものを交互に配置したもの、更には同一の扁平リボン２又は３でも異なった枚数の組を配置したものであっても良い。
しかし、シート本体４には、光線反射機能を有する扁平リボン２の方が、緑色の扁平リボン３よりも多数使用して形成することが望ましい。
【００２６】
光線反射機能を有する扁平リボン２は、例えば、表面にアルミ層を蒸着コーティングした合成樹脂シートを細幅のリボン条に切断し、又はアルミニウム粉末を練り込み均一に分散させた合成樹脂材を扁平なリボン条に成形、或いはシート状に成形して細幅のリボン条に切断することで得られる。
【００２７】
緑色の扁平リボン３は、緑色の着色顔料等を含有した合成樹脂材をシート状に成形し、細幅のリボン条に切断することで、或いは、成形した合成樹脂シートの表面とする一面を印刷等で緑色に着色し、細幅のリボン条に切断することで得られる。
各扁平リボン２、３の幅は３ｍｍから１０ｍｍが適し、また、合成樹脂材の一例としてはポリエチレンが挙げられる。
【００２８】
シート本体４の裏面の側周縁に被着する補整用帯状シート５は、幅広の布製又は樹脂製メッシ布等を用いて逢着８してシート本体４の裏面に一体化してある。
幅は５ｃｍ以上が好ましく、被着は接着剤で固着してもよく、シート本体４の角部においては重合して逢着８等すれば補整力は増大する。
【００２９】
更に、シート本体４の周縁には、被着した補整用帯状シート５の上に補強用縁部テープ６が重ねて被着されている。
補強用縁部テープ６の幅は５ｃｍ以下が好ましく、補整用帯状シート５と同様に、布製又は樹脂製メッシュ布等を用いて逢着８又は接着し、シート本体４の角部においては重合して逢着８等しても良い。
また、被着したシート本体４の角部及び周縁には、適宜間隔で鳩目９を装着してある。
【００３０】
以上、本考案を実施の形態を図面に基づき具体的に説明したが、本考案は上記の実施形態に限定されるものではなく、考案の思想を逸脱することない範囲の他の実施の形態にも適用可能である。
【符号の説明】
【００３１】
１  遮熱シート
２  光線反射機能を有する扁平リボン
３  緑色の扁平リボン
４  シート本体
５  補整用帯状シート
６  補強用縁部テープ
７  糸
８  逢着
９  鳩目
【図１】
0003175508.tif 000003
【図２】
0003175508.tif 000004
【図３】
0003175508.tif 000005
【図４】
0003175508.tif 000006